(57)【特許請求の範囲】
【請求項１】
外壁パネルと、当該外壁パネルの裏面を覆う断熱パネルとからなる複合パネルを、建物の軸組に取り付けられた定規部材に取り付けるための複合パネルの取り付け構造において、
前記外壁パネルに固定され、当該外壁パネルから前記断熱パネルを貫通し当該断熱パネルの裏面側に突出するボルトと、
前記断熱パネルの裏面の前記ボルトが突出する位置に設けられた保護板と、
前記保護板の裏面の前記ボルトが突出する位置に設けられ、一部で前記定規部材の裏面側を押さえる裏当て板と、
前記裏当て板の裏面側から前記ボルトに締め付けられるナットと、を有し、
前記保護板は、前記ボルトのネジ部に適合するネジ穴を有し、当該ネジ穴に前記ボルトを嵌め込むことにより前記保護板が前記ボルトに固定されている、複合パネルの取付構造。
【請求項２】
前記外壁パネルと前記断熱パネルとの間に介在された固定板を有し、
前記固定板は、前記ボルトのネジ部に適合するネジ穴を有し、当該ネジ穴に前記ボルトを嵌め込むことにより前記固定板が前記ボルトに固定されている、請求項１に記載の複合パネルの取付構造。
【発明の詳細な説明】
【技術分野】
【０００１】
本発明は、複合パネルの取付構造に関する。
【背景技術】
【０００２】
軽量気泡コンクリート（ＡＬＣ）等のコンクリート系の外壁パネルで外壁を構成した建物において、断熱性能の向上を図るため、外壁パネルの裏面に合成樹脂発泡体からなる断熱パネルを貼着し、複合パネルを構成することがある。
【０００３】
複合パネルは、建物の梁などの軸組に取り付けられた金物（定規部材）に対して、外壁パネルの貫通ボルトや埋め込みボルトを用いて取り付けられるが、外壁パネルと定規部材との間に断熱パネルが挟み込まれていると、外壁パネルや定規部材に外力が作用した際に、断熱パネルが定規部材から圧縮力を受けて圧壊する恐れがある。そこで、定規部材のある梁部分には、断熱パネルを外壁パネルの裏面に貼着せずに、梁を迂回するように断熱材を配置することが考えられている。しかし、この場合、施工に手間がかかり、材料費も嵩む。また、当該梁に直交するように他の梁が接合されている部分等、断熱材が連続しない部分が生じ、その部分の断熱性が低下してしまう。
【０００４】
特許文献１には、外壁パネルの全体に断熱パネルを配置し、外壁パネルを固定するボルトの部分に補強部材を設け、補強部材のプレート（鍔状部分）を、断熱パネルと取付金物との間に配置することが記載されている。これにより、断熱パネルの圧壊を抑制することができる。
【先行技術文献】
【特許文献】
【０００５】
【特許文献１】特開２００５−０３６５８３号公報
【発明の概要】
【発明が解決しようとする課題】
【０００６】
しかしながら、上記補強部材は断熱パネルの厚みの変更には対応できず、断熱パネルの厚みの変更に応じて、スリーブの長さの異なる補強部材を用意しなければならない。また、断熱パネルのボルト穴の部分で集中的に圧縮力を受けているので、ボルトから離れた位置に作用する圧縮力には対応しきれない。
【０００７】
本発明はかかる点に鑑みてなされたものであり、厚みの異なる断熱パネルに対応でき、また、断熱パネルのボルト穴から離れた位置に作用する圧縮力にも対応し得る複合パネルの取付構造を提供することをその目的とする。
【課題を解決するための手段】
【０００８】
上記目的を達成するための本発明は、外壁パネルと、当該外壁パネルの裏面を覆う断熱パネルとからなる複合パネルを、建物の軸組に取り付けられた定規部材に取り付けるための複合パネルの取り付け構造において、前記外壁パネルに固定され、当該外壁パネルから前記断熱パネルを貫通し当該断熱パネルの裏面側に突出するボルトと、前記断熱パネルの裏面の前記ボルトが突出する位置に設けられた保護板と、前記保護板の裏面の前記ボルトが突出する位置に設けられ、一部で前記定規部材の裏面側を押さえる裏当て板と、前記裏当て板の裏面側から前記ボルトに締め付けられるナットと、を有し、前記保護板は、前記ボルトのネジ部に適合するネジ穴を有し、当該ネジ穴に前記ボルトを嵌め込むことにより前記保護板が前記ボルトに固定されている、複合パネルの取付構造である。
【０００９】
本発明によれば、保護板のネジ穴にボルトを嵌め込むことにより保護板がボルトに固定されているので、外壁パネルや定規部材に外力が作用しても、保護板と外壁パネルの間の断熱パネルに直接的に圧縮力が加わることが防止され、断熱パネルの圧壊が防止される。また、断熱パネルの厚みの変更にも容易に対応できるので、汎用性が高い。さらに、保護板の面で圧縮力を受けることができるので、断熱パネルのボルトから離れた位置に作用する圧縮力にも対応できる。
【００１０】
前記複合パネルの取付構造は、前記外壁パネルと前記断熱パネルとの間に介在された固定板を有し、前記固定板は、前記ボルトのネジ部に適合するネジ穴を有し、当該ネジ穴に前記ボルトを嵌め込むことにより前記固定板が前記ボルトに固定されていてもよい。かかる場合、外壁パネルから断熱パネルに直接的に力が作用することが防止され、これによっても断熱パネルの圧壊が防止される。また、外壁パネルを裏面側から押さえたり、保護板と間に断熱パネルを挟むことができるので、外壁パネルや断熱パネルの振動等を抑制できる。
【発明の効果】
【００１１】
本発明によれば、異なる厚みの断熱パネルに対応できので、汎用性が向上し、複合パネルの取付構造の生産コストを低減できる。また、より広範囲にわたり断熱パネルの圧壊を防止できるので、建物の信頼性を向上できる。
【図面の簡単な説明】
【００１２】
【図１】複合パネルの取付構造の構成の概略を示す縦断面の説明図である。
【図２】複合パネルの取付構造の構成を示す説明図である。
【図３】複合パネルの取付構造の保護板の部分の拡大断面図である。
【図４】固定板を有する複合パネルの取付構造の構成の概略を示す縦断面の説明図である。
【図５】固定板を有する複合パネルの取付構造の構成を示す説明図である。
【発明を実施するための形態】
【００１３】
以下、図面を参照して、本発明の好ましい実施の形態について説明する。図１は、本実施の形態に係る複合パネルの取付構造１の構成の概略を示す縦断面の説明図である。
【００１４】
複合パネルの取付構造１は、例えば図１及び図２に示すように例えば建物の軸組の床梁１０と、定規部材としての定規金物１１と、複合パネル１２と、保護板１３と、裏当て板１４等を有している。
【００１５】
定規金物１１は、例えば縦断面がＬ字形状あるいはＴ字形状を有する長尺の部材であり、上下の床梁１０に沿って水平方向に延びている。定規金物１１は、床梁１０に固定された水平片２０と、複合パネル１２が固定される垂直片２１を有している。
【００１６】
複合パネル１２は、外壁パネル３０と、外壁パネル３０の裏面（室内側の面、以下同様）の全面を覆う断熱パネル３１からなる。外壁パネル３０は、例えば軽量気泡コンクリートからなる。
【００１７】
断熱パネル３１は、例えばフェノール樹脂発泡体（フェノールフォーム）の両面にポリエステル不織布を張り合わせたものである。断熱パネル３１の幅寸法及び高さ寸法は、外壁パネル３０の幅寸法及び高さ寸法とほぼ等しく対応している。建物の外壁は、複合パネル１２が上下左右に並べられて構成されている。
【００１８】
例えば外壁パネル３０には、外壁パネル３０に埋設され、当該外壁パネル３０から断熱パネル３１の孔３１ａを貫通しその裏面側に突出するボルト５０が設けられている。ボルト５０は、定規金物１１に近い位置に突出している。
【００１９】
保護板１３は、断熱パネル３１の裏面のボルト５０が突出する位置に設けられている。保護板１３は、例えば円板形状を有し、断熱パネル３１の裏面に接触している。図３に示すように保護板１３は、中央にボルト５０のネジ部に適合するネジ穴１３ａを有し、当該ネジ穴１３ａにボルト５０を嵌め込むことによりボルト５０に固定されている。保護板１３は、例えば断熱パネル３１よりも強度が高い鋼板により形成されている。
【００２０】
図１〜図３に示すように裏当て板１４は、保護板１３の裏面のボルト５０が突出する位置に設けられている。裏当て板１４は、例えば方形状でわずかに屈曲している。裏当て板１４には、孔１４ａが形成されている。裏当て板１４は、一部が定規金物１１の垂直片２１の裏面を覆い、他の部分が保護板１３の裏面を覆って、定規金物１１と保護板１３に跨るようにボルト５０に挿入されている。裏当て板１４の裏面側に突出するボルト５０には、ワッシャー５１及びナット５２が取り付けられている。このナット５２を締めることによって、複合パネル１２が定規金物１１の垂直片２１に引き寄せられ、裏当て板１４を介して床梁１０に固定されている。
【００２１】
図２に示すように断熱パネル３１の裏面側には、断熱パネル３１を貫通し外壁パネル３０に達するタッピングビス６０が設けられている。このタッピングビス６０により断熱パネル３１が外壁パネル３０に固定されている。タッピングビス６０は、ワッシャー６１を介して断熱パネル３１に挿入されている。
【００２２】
本実施の形態にかかる複合パネルの取付構造１によれば、保護板１３がネジ穴１３ａによりボルト５０に固定されているため、外壁パネル３０や定規金物１１に外力が作用しても、外壁パネル３０と保護板１３が互いに動かず、断熱パネル３１に直接圧縮力が加わることがない。よって、断熱パネル３１の圧壊が防止される。また、断熱パネル３１の厚みが変わっても、保護板１３のボルト５０へのねじ込み量を変えることで対応できる。よって断熱パネル３１の厚みの変更に容易に対応できるので、汎用性がある。また、保護板１３の面全体で外力を受けることができるので、断熱パネル３１のボルト５０から離れた位置に作用する圧縮力にも対応できる。
【００２３】
以上の実施の形態で記載した複合パネルの取付構造１において、図４及び図５に示すように外壁パネル３０と断熱パネル３１の間に固定板７０を設けてもよい。この場合、固定板７０は、例えば上記保護板１３と同様に円形状を有し、中央にボルト５０のネジ部に適合するネジ穴７０ａを備えている。固定板７０は、ネジ穴７０ａにボルト５０を嵌め込むことによりボルト５０に固定されている。また、固定板７０は、例えば外壁パネル３０よりも強度が高い鋼板により形成されている。
【００２４】
かかる場合、固定板７０は、外壁パネル３０を裏面側から押さえるとともに、断熱パネル３１を保護板１３との間に挟むことができる。よって、例えば外壁パネル３０や断熱パネル３１の振動等を抑えることができる。また、外壁パネル３０と断熱パネル３１が直接接することを抑制できるので、外壁パネル３０からの外力が断熱パネル３１に直接作用することが抑制され、これによっても断熱パネル３１の圧壊を防止できる。
【００２５】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００２６】
例えば上記実施の形態で記載した保護板１３や固定板７０、ボルト５０、定規金物１１等の形状は他の形状であってもよい。
【産業上の利用可能性】
【００２７】
本発明は、複合パネルの取付構造において、多様な厚みの断熱パネルに対応でき、またボルト以外の位置の断熱パネルの圧縮力にも対応できるようにする際に有用である。
【符号の説明】
【００２８】
１  複合パネルの取付構造
１０  床梁
１１  定規金物
１２  複合パネル
１３  保護板
１３ａ  ネジ穴
１４  裏当て板
３０  外壁パネル
３１  断熱パネル
５０  ボルト
５１  ワッシャー
５２  ナット
７０  固定板
７０ａ  ネジ穴
【図１】
0005905236.tif 000002
【図２】
0005905236.tif 000003
【図３】
0005905236.tif 000004
【図４】
0005905236.tif 000005
【図５】
0005905236.tif 000006